(57)【要約】      （修正有）【課題】棟の軽量化により耐震性能を向上させ、構造面でジョイントを減らすことで防水性を高め、さらに棟瓦に緊急メッセージやライトアップ等の機能性を付与させた耐震棟を提供する。【解決手段】構造体の上部に、耐震棟１を装着するベース水切りを設置し、また構造体の側面３に、破瓦を屋根下地Ｂ及び構造体に角度自在に固定する固定金具を装着し、さらに固定金具の上面に、固定金具を被覆するカバー水切りを設置したことにより、既存建物の瓦屋根であっても棟瓦を耐震棟１に取り換え工事を行う際に発生する破瓦であっても強風や地震による落下を防ぐ事が可能であり、耐震棟１と破瓦を水切りと水返しで繋ぐ事になり屋根漆喰が破瓦とカバー水切りの１か所となり防水性能の優れた耐震棟１を構成する。【選択図】図１
2014198981.tif 000002
【特許請求の範囲】
【請求項１】
屋根の最上部に装着される耐震棟であって、該耐震棟は、断面が中空であり底部と側面を一体構造とし他上部笠木部分を着脱自在に装着するとともに、前記耐震棟を構造体に直接取付け剛性能を高めることを特徴とする耐震棟。
【請求項２】
前記構造体の上部に、耐震棟を装着するベース水切りを設置した請求項１記載の耐震棟。
【請求項３】
端部切瓦を前記構造体の側面及び屋根下地に角度自在に固定する水返し兼用固定金具を装着した請求項１または２記載の耐震棟。
【請求項４】
前記水返し兼用固定金具の上面に、水返し兼用固定金具と耐震棟接続させるカバー水切りを設置した請求項１乃至３のうち何れか１項に記載の耐震棟。
【請求項５】
前記耐震棟の側面に、外部よりメッセージを視認することができるＬＥＤ等の表示板を装着した請求項１乃至４のうちいずれか１項に記載の耐震棟。
【請求項６】
前記耐震棟の笠木の一部にオブジェを装着した請求項１乃至４のうちいずれか１項に記載の耐震棟。
【請求項７】
前記耐震棟内に照明具を収容した請求項１乃至４のうちいずれか１項に記載の耐震棟。
【請求項８】
前記耐震棟の一部に回転灯を装着した請求項１乃至４のうちいずれか１項に記載の耐震棟。
【請求項９】
前記耐震棟に通受信アンテナを装着した請求項１乃至４のうちいずれか１項に記載の耐震棟。
【請求項１０】
前記耐震棟の一部に監視カメラを装着した請求項１乃至４のうちいずれか１項に記載の耐震棟。
【請求項１１】
前記耐震棟にセンサーを装着した請求項１乃至４のうちいずれか１項に記載の耐震棟。
【請求項１２】
前記耐震棟に換気管を設置し、耐震棟側面に換気孔を穿孔するとともに、耐震棟の内部に水返し部を設置し妻面に水抜き穴を装着した請求項１乃至４のうちいずれか１項に記載の耐震棟。
【請求項１３】
前記耐震棟に熱交換型換気ダクトを設置し、耐震棟妻面の一方に吸気他の一方に排気孔を穿孔を設置した請求項１乃至４のうちいずれか１項に記載の耐震棟。
【請求項１４】
前記耐震棟内に給水管を装着するとともに、該給水管に、屋根材上に散水する散水ノズル水栓を装着した請求項１乃至４のうちいずれか１項に記載の耐震棟。
【請求項１５】
前記給水管および散水ノズル水栓にヒーターを装着した請求項１４に記載の耐震棟。
【発明の詳細な説明】
【技術分野】
【０００１】  本発明は、振動を伝え易い平瓦の上に棟瓦を施工する伝統工法の耐震性能の低さを棟を構造体に直接剛接続させる事と中空にする事で軽量化を図り耐震性能を向上させた。又棟のジョイントを減らすことで防水性を高め、さらに棟を中空にすることで棟に多目的な機能を付与させた耐震棟に関する。
【背景技術】
【０００２】  伝統工法の、屋根の最上部には棟瓦が装着されている。かかる棟瓦は、屋根面の平瓦の折り端部の上に熨斗瓦で高さ幅を整え雁振瓦で最上部つなぎ目を塞ぐ手順で構造体を雨水から守る施工がされている。その際屋根形状により熨斗瓦の数が必要になりジョイントが増え防水性が悪くなる事と重さが増えることで構造体に負担がかかることまた崩れやすく地震に弱い事が指摘されている。【０００３】  棟瓦に関連する従来技術として、棟瓦の葺設の際に屋根勾配に関わらず確実且つ容易に棟瓦を位置決めし、位置決めした状態で棟瓦を容易に屋根の棟に取付けることができ、棟瓦を取付けた状態において外観が美しくコストのかからない棟瓦の取付け構造がある（例えば、特許文献１参照）。【０００４】  上掲特許文献１の棟瓦の取付け構造は、棟の両側に傾斜した屋根板を配置し、両屋根板の表面に屋根板の棟側端部から一定距離を隔てた箇所に位置する笠木よりも棟の反対側に位置する箇所に笠木に近接する最上部の屋根瓦を葺設し、棟を跨いで配設される棟瓦を、棟の上方を覆う棟瓦本体と、棟瓦本体の両側端部に設けた載置部とで構成し、棟瓦本体の両側の載置部の近傍に固着具を打入するための打入部を形成し、棟瓦本体の裏面の両側に略下方に突出する支持部を設け、両支持部を前記打入部よりも内方に配置し、両支持部の外側面に下に行く程内方に位置するように傾斜する当たり部を形成し、棟瓦の両載置部を前記最上部の両屋根瓦に載置すると共に前記傾斜した両当たり部の任意の位置を両笠木の棟側の上角部に当設し、棟瓦本体の打入部から打入した固着具を両笠木に固着することを特徴とする。
【先行技術文献】
【特許文献】
【０００５】
【特許文献１】特開２００４−１５００４１号公報
【発明が解決しようとする課題】
【０００６】  しかしながら上掲特許文献１の棟瓦の取付け構造は、和瓦、Ｓ型瓦、モニュエル瓦と言った大きな橇の入った瓦に使用している既存建物の改修工事の際には端部切瓦の固定対策と水返しに問題があった
又棟や棟内に他の機能を付与させるまでには至らなかった。
【０００７】  そこで本発明は、上記した従来技術の問題点を解消し、棟の軽量化と施工方法を変えることで耐震性能を向上させ、既存建物の改修に工事でも固定金物で水返しを兼ね、またジョイントを減らすことで防水性を高め、さらに棟瓦を中空にすることで空間部分に工夫をすることで緊急メッセージやライトアップ、または換気、散水等の機能性を新たに棟に付与させた耐震棟を提供することにある。
【課題を解決するための手段】
【０００８】  上記課題を解決するために、本発明の耐震棟は、屋根の最上部に設置される耐震棟であって、該耐震棟は、底部と側面を一体構造とし、上部に笠木を着脱自在に装着するとともに、前記耐震棟を構造体に直接取付けたことを特徴とする。
【０００９】  また前記構造体の上部に、耐震棟を装着するベース水切りを設置した。
【００１０】  また前記構造体の側面に、端部切瓦を水返しを兼ねた固定金具で包み込み屋根下地及び構造体に角度自在に固定する金具を装着した。
【００１１】  また前記水返し兼用固定金具の上面に、水返し兼用固定金具と耐震棟を水切りと意匠上の厚みを持たせるためのカバー水切りを設置した。
【００１２】  また前記耐震棟の側面に、外部よりメッセージを視認することができるＬＥＤ等の表示板を装着した。
【００１３】  また、前記耐震棟の笠木の一部にオブジェを装着した。
【００１４】  また、前記耐震棟内に照明具を収容した。
【００１５】  また、前記耐震棟の笠木の一部に回転灯を装着した。
【００１６】  また、前記耐震棟の笠木の一部に通受信アンテナを装着した。
【００１７】  また、前記耐震棟の笠木の一部に監視カメラを装着した。
【００１８】  また、前記耐震棟の笠木の一部にセンサーを装着した。
【００１９】  また前記耐震棟に換気管を設置し、耐震棟側面に換気孔を穿孔するとともに、耐震棟の内部に水返し部を設置した。
【００２０】  また前記耐震棟の内に給水管を装着するとともに、該給水管に、屋根材上に散水する散水ノズル栓を装着した。
【００２１】  さらに、前記給水管および散水ノズル栓にヒーターを装着した。
【発明の効果】
【００２２】  本発明の耐震棟は、底部と側面を一体構造とし、上部に笠木を着脱自在に装着するとともに、前記耐震棟を構造体に直接取付けたことにより剛性が高まり、棟の軽量化により耐震性能を向上させることができる。
【００２３】  また前記構造体の上部に、耐震棟を装着するベース水切りを設置し、また端部切瓦を水返しを兼ねた固定金具で包み込み屋根下地及び構造体に角度自在の固定金具で固定し、水返し兼用固定金具の上面に、水返し兼用固定金具と耐震棟を水切りと意匠上の厚みを持たせるためのカバー水切りを設置したことにより、新築は勿論既存建物の瓦屋根であっても棟瓦を耐震棟に取り換え工事を行う際に発生する端部切瓦を強風や地震による落下を防ぐ事が可能であり、防水性能の優れた棟にすることができる
【００２４】  また、前記耐震棟にメッセージ表示板、オブジェ、照明具、通受信アンテナ、監視カメラ、センサー、回転灯、換気管、熱交換型ダクト、給水管、散水ノズル等を具備することで、建築物の棟の様々な機能性を付与させることができる。
【図面の簡単な説明】
【００２５】
【図１】本発明の耐震棟の断面図である。
【図２】前記耐震棟の要部を示す断面図である。
【図３】耐震棟の側面にメッセージ表示板、照明具を設置した状態の断面図である。
【図４】耐震棟の内部に熱交換型換気ダクトを設置した状態の断面図である。
【図５】耐震棟に笠木の一部に通受信アンテナ、監視カメラ、センサー、オブジェ回転灯を収容した状態の断面図である。
【図６】耐震棟に換気装置を設置した状態の断面図である。
【図７】耐震棟に散水装置を設置した状態の断面図である。
【発明を実施するための最良の手段】
【００２６】  本発明の耐震棟は、構造体に直接取り付けて剛性を高め、また中空構造で軽量化を図り耐震性能を向上させ、棟ジョイントを減らすことで防水性を高め、さらに棟にさまざまな機能性を付与させたことを特徴とするものである。
以下、本発明における耐震棟の実施の形態を図面に基づいて説明する。
【００２７】  図示する耐震棟１は、屋根の最上部に装着されるもので、底部２と側面３とが一体的に形成された構造体とされており、側面３の上部には笠木４が着脱自在に装着されている。かかる構造により、耐震棟１の内部は広い中空部Ａが形成されるとともに、全体を軽量に形成することができる。また、前記笠木４が着脱自在に装着されることで、耐震棟１の内部にさまざまな機能性を付与することができるとともに、内部のメンテナンスも容易になる。
【００２８】  また前記耐震棟１は、後述詳細の取付構造体１０に直接的に取付けられている。そのことにより、耐震棟１の固定強度が高まり、耐震性に優れ中空部分に多機能を付加できる。
【００２９】  取付構造体１０、屋根の勾配に対し上面を水平に形成するもので、屋根下地Ｂ上に配置される断面三角形状の斜部構造体１１と立構造体１２とからなる。また、必要に応じて高さ調節用の部材を介在させてもよい。
【００３０】  また特に、取付構造体１０の上部には、前記耐震棟１を装着するベース水切り１４が設置されている。ベース水切り１４は、図２に示すように、耐震棟１の側面３と連結させる水返し１５と、カバー水切り３０を接続させる汚垂れ１６とからなる。屋根漆喰等で積み上げた棟瓦と違い各部のジョイントを水返しと水切りで納めているため雨水の吹き込みが伝統工法に比べて極めて少ない。
【００３１】  また前記取付構造体１０の側面には、端部切瓦Ｃや汎用の平瓦を屋根下地Ｂ及び取付構造体１０に固定する水返し兼用固定金具２０が装着されている。水返し兼用固定金具２０は、端部切瓦Ｃ上に配置される固定部Ａ２１と、固定部Ａ２１に連接された、端部切瓦Ｃの側面および底面を結合する固定穴２２と、取付構造体１０の側面に固定される固定部Ｂ２３と、固定穴２２と固定部Ｂ２３とを角度自在に連結するヒンジ２４とからなる。上記水返し兼用固定金具２０を角度自在に形成することで、屋根の異なる勾配に対しても適宜対応することができる。
【００３２】  また前記水返し兼用固定金具２０の上面には、水返し兼用固定金具２０をベース水切り１４と接続させるカバー水切り３０が設置されている。カバー水切り３０はベース水切り１４と水返し兼用固定金具２０を一体化させ構造体を風雨から保護するもので、取付穴３１と、引っ掛けフック３２の基部に形成され、前記ベース水切り１４内の汚垂れ１６にパッキン３３を配置し接続される。
【００３３】  前記カバー水切り３０を水返し兼用固定金具２０の端部に引っ掛けフック３２を引っ掛けて施工することで風であおられた際でも、カバー水切り３０が煽られることを防ぐ。この際瓦の種類によって空間１３が出来るため屋根漆喰等で埋める。
【００３４】  また他の好適例として、図３に示すように、前記耐震棟１の側面３に、外部より視認することができるメッセージ表示板４０を記載した。メッセージ表示板４０は特に限定されるものではないが、緊急メッセージや広告、宣伝等のメッセージが好適に使用される。
【００３５】  また、前記耐震棟１の側面３に照明具４１を装着してもよい。側面に装着される照明具４１は特に限定されるものではない、各種デザインやネオンサイン等を装着することができる。
【００３６】  また、図４に示すように、前記１の内部に熱交換型ダクト４２を収容した。
【００３７】  また図５に示すように、前記耐震棟１にオブジェ回転灯４３、通受信アンテナ４４、監視カメラ４５、センサー４６を装着した。オブジェ回転灯４３、通受信アンテナ４４、監視カメラ４５、センサー４６を装着することで、利便性や安全性の高い耐震棟１を形成することができる。
【００３８】  また図６に示すように、前記耐震棟１に換気管４７を設置するとともに、耐震棟１の側面３に換気孔４８を穿孔した。また耐震棟１の内部に水返し具４９を装着した。そのことにより、家屋内の空気は耐震棟１を介して屋外に排気することができる。
【００３９】  また図７に示すように、前記耐震棟１内に給水管５０を装着するとともに、該給水管５０に、屋根材上に散水する散水管５１を装着した。給水管５０および散水ノズル５１を装着することで、夏季においては、散水により屋根上を冷却することができ、冬季においては、散水により屋根上に積もる雪を融解することができる。
【００４０】  さらに、前記給水管５０および散水ノズル５１にヒーター５２を装着してもよい。ヒーター５２を装着することで、冬季に給水管５０の凍結を防止するとともに、温水により屋根上に積雪した雪を効率よく溶かすことができる。
【符号の説明】
【００４１】１    耐震棟
２    底面
３    側面
４    笠木
１０  取付構造体
１１  斜部構造体
１２  立構造体
１３  空間
１４  ベース水切り
１５  水が返し
１６  汚垂れ
２０  水返し兼用固定金具
２１  固定部Ａ
２２  固定穴
２３  固定部Ｂ
２４  ヒンジ
３０  カバー水切り
３１  取り付け穴
３２  引っ掛けフック
３３  パッキン
４０  メッセージ表示板
４１  照明具
４２  熱交換型ダクト
４３  オブジェ、回転灯
４４  通受信アンテナ
４５  監視カメラ、
４６  センサー
４７  換気管
４８  換気孔
４９  水返し板
５０  給水管
５１  散水ノズル
５２  ヒーター
Ａ    空間部
Ｂ    屋根下地
Ｃ    端部切瓦
【図１】
2014198981.tif 000003
【図２】
2014198981.tif 000004
【図３】
2014198981.tif 000005
【図４】
2014198981.tif 000006
【図５】
2014198981.tif 000007
【図６】
2014198981.tif 000008
【図７】
2014198981.tif 000009